(57)【要約】【課題】パッキンを用いず、また部品点数を増やすことなく、飲料容器の肩カバーに対する飲み口の脱落を防止する。【解決手段】飲み口を肩カバーに着脱可能に係止する係止部が、飲み口の外側面に一体的に成形された第１の係止片と、肩カバーの内側面に一体的に成形され、第１の係止片と係り合って飲み口を前記肩カバーに固定する第２の係止片とから構成する。第１の係止片２１ａ、２１ｂ、第２の係止片２２ａ、２２ｂとは、周方向等配の２か所に存在する。蓋パッキン３８は、通常、蓋８を開閉するときに飲み口７と接触せず、肩カバー６を容器本体１に対して傾ける異常な取り外し操作のとき、飲み口７の内側面に接触して肩カバー６からの飲み口脱落を阻止可能な回動規制部４７を有する。【選択図】図１
2015098352.tif 000002
【特許請求の範囲】
【請求項１】
容器本体と、前記容器本体の周側上部に着脱される肩カバーと、前記容器本体内に連通する飲料注出路が一体的に成形された飲み口と、前記飲み口を前記肩カバーに着脱可能に係止する係止部と、前記肩カバーに取り付けられた蓋とを備える飲料容器において、
前記係止部が、
前記飲み口の外側面に一体的に成形された第１の係止片と、
前記肩カバーの内側面に一体的に成形され、前記第１の係止片と係り合って前記飲み口を前記肩カバーに止める第２の係止片と
を備えることを特徴とする飲料容器。
【請求項２】
前記肩カバーと前記飲み口とが、前記係止部によって係止された第１の姿勢と、当該係止が解除された第２の姿勢とをとり、
前記第１の姿勢と前記第２の姿勢とをとる際に、前記第１の係止片及び前記第２の係止片の中の１つ以上が、撓み変形を生じる請求項１に記載の飲料容器。
【請求項３】
前記第１の係止片が前記第２の係止片の上側に配置されることによって、当該第１の係止片及び当該第２の係止片が係り合って前記飲み口を前記肩カバーに止める請求項１又は２に記載の飲料容器。
【請求項４】
前記第１の係止片及び前記第２の係止片が、前記肩カバーと前記飲み口との間に、周方向について均等な位置に複数配置されている請求項１から３のいずれか１項に記載の飲料容器。
【請求項５】
前記蓋の内側に設けられ、前記飲料注出路を閉塞可能な蓋パッキンを備え、
前記肩カバーに対して前記飲み口が回動することによって前記第１の姿勢と前記第２の姿勢とをとり、
前記蓋パッキンが、前記蓋の閉じた状態で前記第１の姿勢から前記第２の姿勢をとる際に前記飲み口に当接して前記回動を規制する回動規制部を有する請求項２に記載の飲料容器。
【請求項６】
前記飲み口が、前記飲料注出路を広口にせしめる態様で延びる口当て部を有し、
前記回動規制部が、前記口当て部の内側面に当接する請求項５に記載の飲料容器。
【請求項７】
前記肩カバーに対して前記蓋を開閉可能に支持する開閉支持部と、
前記肩カバーの周側部に設けられ、前記蓋を閉じた状態に保つ係止の解除操作を受け付ける操作部材と、
前記操作部材の内側に移動可能なロック片を有し、当該ロック片が第１位置に配置されることにより前記解除操作の受け付けを可能にする一方で、当該ロック片が第２位置に配置されることにより当該解除操作の受け付けを不能にするロック部とを備え、
前記ロック部が、前記操作部材を嵌める第１の溝と、前記ロック片を嵌める第２の溝と、前記第１の溝内および第２の溝内に連通する第１の開口と、前記第１の開口と対向する向きで第２の溝内に連通する第２の開口とを前記肩カバーに有し、
前記ロック片が、前記第１の開口と前記第２の開口と前記第２の溝とによって保持されながら前記操作部材の背後に摺動する請求項１ないし請求項６のいずれか１項に記載の飲料容器。
【請求項８】
前記第２の係止片が、周方向一か所から突出した可撓壁からなり、
前記操作部材が、前記第２の係止片を上から覆うガード部を有する請求項７に記載の飲料容器。
【請求項９】
容器本体と、前記容器本体の周側上部に設けられた肩カバーと、前記容器本体内に連通する飲料注出路が形成された飲み口と、前記肩カバーに取り付けられた蓋とを備え、
前記蓋が、内側面から延在する態様で設けられた取付部と、前記取付部に被さる態様で取り付けられ、当該蓋の開閉によって前記飲料注出路を閉塞する蓋パッキンとを有し、
前記蓋パッキンが、前記取付部に水平方向から密着する上筒部と、前記上筒部から下側に連なる有底筒状の下筒部とを有し、
前記下筒部が、前記取付部の延長方向に配置されるとともに、前記下筒部の内側面から内径方向に向かって形成された突壁を有することを特徴とする飲料容器。
【請求項１０】
前記下筒部の外径が前記上筒部の外径よりも小さく成形されている請求項９に記載の飲料容器。
【請求項１１】
前記突壁が前記上筒部と前記下筒部の境に位置する請求項９又は１０に記載の飲料容器。
【請求項１２】
前記取付部が中空状に形成されている請求項９から１１のいずれか１項に記載の飲料容器。
【請求項１３】
前記取付部が、延長方向に向かって形成されたスリットを有し、前記上筒部が、前記スリットに嵌入する突条壁を有する請求項９から１２のいずれか１項に記載の飲料容器。
【発明の詳細な説明】
【技術分野】
【０００１】
この発明は、飲料の携帯に使用される飲料容器に関する。
【背景技術】
【０００２】
一般に、飲料容器は、コップ付きのものと、飲み口付きのものとに分けられる。後者の飲料容器においては、飲み口が、環状部を有する肩カバーに着脱される。環状部は、容器本体の周側上部に着脱される。肩カバーに蓋が取り付けられている。飲み口は、容器本体内に連通し、肩カバーの環状部から突き出る口当て部を有し、ユーザは口当て部に唇を付けて飲料を摂取することができるようになっている。蓋は、飲み口を開閉する。
【０００３】
この種の飲料容器は、飲み口付きの肩カバーを容器本体に着脱する際、飲み口が肩カバーから脱落しないようにする必要がある。その脱落防止手段として、従来、肩カバーの環状部の内周に成形されたシール面と、飲み口の外周に装着されたパッキンとの密着性を利用する構造が採用されている（例えば、特許文献１）。
【０００４】
この種の飲料容器に係る蓋は、飲み口を閉塞する蓋パッキンと、蓋パッキンに嵌まり込む取付部とを有する。中でも、蓋の開閉によって飲み口の内側に出し入れされる蓋パッキンを採用したものがある。この種の蓋パッキンとして、取付部に水平方向から密着する上筒部と、上筒部から下側に連なる下筒部とを有するものがある。下筒部は、蓋を閉じる動作で飲み口の内側シール面との密着面積を増やす撓み変形を生じながら当該飲み口を閉塞するようになっている（例えば、特許文献２）。
【先行技術文献】
【特許文献】
【０００５】
【特許文献１】特開２０１０−１２６１６３号公報（特に図２）
【特許文献２】特開２０１３−５６６８０号公報（特に図１、段落００３９）
【発明の概要】
【発明が解決しようとする課題】
【０００６】
しかしながら、特許文献１のようなパッキンを利用した脱落防止手段は、飲み口の外周にパッキンを付け外しする作業が面倒であった。また、パッキンを使用する分、部品点数が増えていた。
【０００７】
特許文献２のような蓋パッキンでは、飲み口の内側シール面に対する密着力を向上させるのに、ある程度、下筒部を撓ませることが好ましいが、特許文献２の下筒部は、筒内面と取付部の下端との距離が近く、撓み量が取付部で制限されていた。
【０００８】
上述の背景に鑑み、この発明が解決しようとする第１の課題は、パッキンを用いず、また部品点数を増やすことなく、飲料容器の肩カバーに対する飲み口の脱落を防止することにある。
【０００９】
上述の背景に鑑み、この発明が解決しようとする第２の課題は、飲料容器の飲み口の内側シール面に対する蓋パッキンの密着力を高めることにある。
【課題を解決するための手段】
【００１０】
上記第１の課題を解決する第１の発明は、容器本体と、前記容器本体の周側上部に着脱される肩カバーと、前記容器本体内に連通する飲料注出路が一体的に成形された飲み口と、前記飲み口を前記肩カバーに着脱可能に係止する係止部と、前記肩カバーに取り付けられた蓋とを備える飲料容器において、前記係止部が、前記飲み口の外側面に一体的に成形された第１の係止片と、前記肩カバーの内側面に一体的に成形され、前記第１の係止片と係り合って前記飲み口を前記肩カバーに止める第２の係止片とを備える構成を採用した。この構成によれば、飲み口、肩カバーに一体的に成形された第１の係止片と第２の係止片とによって係止部を構成したため、パッキンを用いず、また部品点数を増やすことなく、肩カバーに対する飲み口の脱落を防止することができる。
【００１１】
例えば、前記肩カバーと前記飲み口とが、前記係止部によって係止された第１の姿勢と、当該係止が解除された第２の姿勢とをとり、前記第１の姿勢と前記第２の姿勢とをとる際に、前記第１の係止片及び前記第２の係止片の中の１つ以上が、撓み変形を生じるようにすればよい。これによれば、第１の姿勢と第２の姿勢間で姿勢を遷移させる操作の際、第１の係止片ないし第２の係止片が撓み変形を生じるので、簡単に肩カバーと飲み口とを係止したり、その係止を解除したりすることができる。
【００１２】
また、前記第１の係止片が前記第２の係止片の上側に配置されることによって、当該第１の係止片及び当該第２の係止片が係り合って前記飲み口を前記肩カバーに止めることが好ましい。これによれば、肩カバーに対して下方から飲み口が係止されるものとなるため、飲み口が肩カバーに対して上方へ外れることがなくなり、ひいては、飲料容器の使用時において飲み口が不意に肩カバーから外れることを防止することができる。
【００１３】
また、前記第１の係止片及び前記第２の係止片が、前記肩カバーと前記飲み口との間に、周方向について均等な位置に複数配置されていることも好ましい。これによれば、係止部がバランスよく配置されているため、肩カバーに飲み口を安定して係止することができる。
【００１４】
また、前記蓋の内側に設けられ、前記飲料注出路を閉塞可能な蓋パッキンを備え、前記肩カバーに対して前記飲み口が回動することによって前記第１の姿勢と前記第２の姿勢とをとり、前記蓋パッキンが、前記蓋の閉じた状態で前記第１の姿勢から前記第２の姿勢をとる際に前記飲み口に当接して前記回動を規制する回動規制部を有することが好ましい。これによれば、係止部の係止が解除されようとしたとき、回動規制部によって飲み口の回動が規制されるため、蓋が閉まっている状態において飲み口が肩カバーから脱落することを防止することができる。
【００１５】
すなわち、肩カバーを容器本体から外す際、容器本体の周側上部に飲み口が当接する場合がある。すると、飲み口の回動により第１の姿勢から第２の姿勢への遷移、つまりは肩カバーと飲み口との係止が解除される可能性がある。この回動規制部を採用すれば、飲み口の回動が規制されるため、蓋パッキンを利用して飲み口が肩カバーから脱落しないようにすることができる。
【００１６】
前記飲み口が、前記飲料注出路を広口にせしめる態様で延びる口当て部を有し、前記回動規制部が、前記口当て部の内側面に当接することがより好ましい。これによれば、回動規制部が口当て部の内側すなわち飲料注出路側に設けられることにより、蓋パッキンが大型化することを防止し、ひいては蓋の大型化を避けることができる。
【００１７】
この発明においては、前記肩カバーに対して前記蓋を開閉可能に支持する開閉支持部と、前記肩カバーの周側部に設けられ、前記蓋を閉じた状態に保つ係止の解除操作を受け付ける操作部材と、前記操作部材の内側に移動可能なロック片を有し、当該ロック片が第１位置に配置されることにより前記解除操作の受け付けを可能にする一方で、当該ロック片が第２位置に配置されることにより当該解除操作の受け付けを不能にするロック部とを備え、前記ロック部が、前記操作部材を嵌める第１の溝と、前記ロック片を嵌める第２の溝と、前記第１の溝内および第２の溝内に連通する第１の開口と、前記第１の開口と対向する向きで第２の溝内に連通する第２の開口とを前記肩カバーに有し、前記ロック片が、前記第１の開口と前記第２の開口と前記第２の溝とによって保持されながら前記操作部材の背後に摺動することが好ましい。これによれば、ロック片は、第２の溝に保持されているので、肩カバーの内側に露出することを抑えられる。このため、肩カバーを洗浄するに際してロック片が引っかけられることを避け、ロック片の破損を防止することができる。なお、従来品においては、肩カバーは少なくとも外側に配置される外側部材と内側に配置される内側部材との２部品を組み合わせて構成されるものであった。したがって、両部材の間にロック片を挟み込むことにより、肩カバーの洗浄時にロック片が引っかけられる心配は無かった。これに比べて、肩カバーの第１の開口、第２の開口、第２の溝によりロック片を保持すれば、部品点数も少なくなり、コストダウンおよび軽量化を実現することが可能となる。
【００１８】
前記第２の係止片が、周方向一か所から突出した可撓壁からなり、前記操作部材が、前記第２の係止片を上から覆うガード部を有することがより好ましい。これによれば、第２の係止片が可撓性であることにより、前述の積極的な撓み変形を容易に実現することができる。また、撓み変形し易い第２の係止片が折損することをガード部によって防止することができる。
【００１９】
上記第２の課題を解決する第２の発明は、容器本体と、前記容器本体の周側上部に設けられた肩カバーと、前記容器本体内に連通する飲料注出路が形成された飲み口と、前記肩カバーに取り付けられた蓋とを備え、前記蓋が、内側面から延在する態様で設けられた取付部と、前記取付部に被さる態様で取り付けられ、当該蓋の開閉によって前記飲料注出路を閉塞する蓋パッキンとを有し、前記蓋パッキンが、前記取付部に水平方向から密着する上筒部と、前記上筒部から下側に連なる有底筒状の下筒部とを有し、前記下筒部が、前記取付部の延長方向に配置されるとともに、前記下筒部の内側面から内径方向に向かって形成された突壁を有する構成を採用した。ここで、水平方向とは、飲料容器を容器本体の外底面で水平面上に立てて蓋を閉じた状態における水平面に沿った方向のことをいう。
【００２０】
第２の発明の構成によれば、下筒部の突壁により、取付部が下筒部の筒空間内に入り込んだもの（例えば特許文献２）より下筒部の撓み変形が大きくなり、蓋パッキンと飲み口部とによるシール面の密着力を高めることができる。さらに、下筒部の突壁付近で撓み変形に対する抵抗性が高まり、もってシール面の密着力をより高めることができる。さらに、蓋を閉じた状態で取付部の下端で突壁を上から押さえられるので、下筒部の弾性反発を効果的に密着力として作用させることができる。このように、第２の発明は、飲料容器の飲み口の内側シール面に対する蓋パッキンの密着力を高めることができる。
【００２１】
例えば、前記下筒部の外径が前記上筒部の外径よりも小さく成形されているとよい。これによれば、下筒部の突壁が取付部によって全周に亘って押され、筒空間の内側へ撓み易くなるため、逆の場合よりも弾性力を向上させ易くすることができる。
【００２２】
例えば、前記突壁が前記上筒部と前記下筒部の境に位置するとよい。これによれば、上筒部が取付部に水平方向から密着するとともに、突壁が取付部の端部に当接するため、取付部に対して蓋パッキンを容易に位置決めすることができる。また、突壁によって蓋パッキン全体の形状が維持されるため、上筒部が内側に撓むことを防止することができる。
【００２３】
例えば、前記取付部が中空状に形成されているとよい。これによれば、取付部を蓋に一体成形した場合、その裏側に当たる部分の蓋上面付近のヒケを抑えることができる。
【００２４】
例えば、前記取付部が、延在方向に向かって形成されたスリットを有し、前記上筒部が、前記スリットに嵌入する突条壁を有するとよい。これによれば、蓋パッキンの取付部に対する固定性を突条壁とスリットにより向上させることができる。
【発明の効果】
【００２５】
上述のように、第１の発明は、パッキンを用いず、また部品点数を増やすことなく、飲料容器の肩カバーに対する飲み口の脱落を防止することができる。
【００２６】
上述のように、第２の発明は、飲料容器の飲み口の内側シール面に対する蓋パッキンの密着力を高めることができる。
【図面の簡単な説明】
【００２７】
【図１】（ａ）は、実施形態に係る飲料容器の肩カバーを正規に外す際の様子を示す縦断面図、（ｂ）は、実施形態に係る脱落防止手段の作用を示す縦断面図
【図２】実施形態に係る飲料容器の上部付近の部分縦断面図
【図３】実施形態に係る飲料容器の蓋セットの斜視図
【図４】図３の蓋セットの分解斜視図
【図５】図３の飲み口の別方向からの拡大斜視図
【図６】（ａ）は、実施形態に係る係止部を係止する際の様子を示す断面図、（ｂ）は、前記係止部を係止した様子を示す断面図
【図７】（ａ）は、実施形態に係るロック部のロック状態を示す一部切欠き正面図、（ｂ）は、同状態のロック部付近の横断面図
【図８】（ａ）は、前記ロック部のロック解除状態を示す一部切欠き正面図、（ｂ）は、同状態のロック部付近の横断面図
【図９】（ａ）は、実施形態に係る蓋パッキンの斜視図、（ｂ）は同蓋パッキンの縦断面図、（ｃ）は、同蓋パッキンの側面図、（ｄ）は、同蓋パッキンの下面図
【発明を実施するための形態】
【００２８】
以下、実施形態に係る飲料容器を添付図面に基いて説明する。この飲料容器は、図１、図２に示すように、容器本体１と、蓋セット２とを備える。容器本体１は、外底面で水平面上に立たせることができる。容器本体１は、飲料収容室３と、上面に開放された容器口４とを有し、ユーザの使用に際して一体に取り扱われる液体容器である。蓋セット２は、容器口４を水密に密封することができる。以下、容器本体１を水平面上に立てた状態で水平面に直角な鉛直方向を「鉛直方向」と略称する。また、この水平面に沿った方向を「水平方向」と呼ぶ。また、上下の概念は、鉛直方向での上下をいう。また、周方向は、鉛直線周りの方向をいう。
【００２９】
容器本体１は、ステンレス鋼製魔法瓶によって構成されている。飲料収容室３は、所定容量の飲料を貯留することができる。容器口４は、上向きに開放されている。容器口４は、蓋セット２を容器本体１から外した状態で飲料収容室３と外部とに連通している。容器本体１の周側上部の外周には、雄ねじ５が成形されている。容器本体１は、図示例のように魔法瓶単体で構成する必要はなく、複数の部材から構成することも可能である。
【００３０】
蓋セット２は、肩カバー６と、飲み口７と、蓋８と、係止部と、ロック部とを有する。
【００３１】
肩カバー６は、図２〜図４に示すように、一体に成形された環状部９を有する。環状部９の内周には、雌ねじ１０が成形されている。雄ねじ５と雌ねじ１０からなるねじ構造により、肩カバー６は、容器本体１の周側上部に着脱される。このねじ構造の軸線は、鉛直方向に設定されている。
【００３２】
飲み口７は、肩カバー６に着脱される。飲み口７は、管路部材１１と、管路部材１１の飲料収容室３側に設けられたパッキン１２とを備える。管路部材１１は、環状部９の内周から上方へ突き出る口当て部１３と、飲料収容室３と外部とに連通する飲料注出路１４とを有する。飲料注出路１４は、管路部材１１に一体的に成形され、容器口４を通じて外部まで一連の流路になっている。口当て部１３は、飲料注出路１４を広口にせしめる態様で延びている。管路部材１１の外周にパッキン１２が嵌着されているため、容器口４の内周と飲み口７との間が水密に密封される。
【００３３】
蓋８は、肩カバー６に取り付けられている。具体的には、蓋８が、肩カバー６に対して回動することにより開閉可能に支持されている。
【００３４】
前記係止部は、図１（ａ）、図３に示すように、飲み口７を肩カバー６に着脱可能に係止する。この係止は、飲み口７を肩カバー６に装着した状態のまま肩カバー６を容器本体１に着脱する際、飲み口７が肩カバー６から脱落することを防ぐためのものなので、少なくとも肩カバー６に対する飲み口７の下方動を制限可能なものであればよい。
【００３５】
図示の係止部は、管路部材１１の外側面に一体的に成形された第１の係止片２１ａ、２１ｂと、肩カバー６の環状部９の内側面に一体的に成形された第２の係止片２２ａ、２２ｂとを備える。なお、図１（ａ）は、第１の係止片２１ａ、２１ｂ及び第２の係止片２２ａ、２２ｂの周方向中央を通る仮想鉛直平面で切断した断面を描いている。この仮想鉛直平面は、前述のねじ構造の軸線を含む。
【００３６】
第１の係止片２１ａ、２１ｂ及び第２の係止片２２ａ、２２ｂは、肩カバー６の環状部９と飲み口７の管路部材１１との間に、周方向について均等な位置に配置されている。
【００３７】
具体的には、第１の係止片２１ａ、第２の係止片２２ａとが、周方向一か所で鉛直方向に係り合い、これらと周方向に１８０°反対側の箇所で、第１の係止片２１ｂと第２の係止片２２ｂとが、鉛直方向に係り合うように設けられている。
【００３８】
第１の係止片２１ａは、図１（ａ）、図４に示すように、管路部材１１の一か所から環状部９に対して水平方向に接近する方へ突出した壁部分からなる。第１の係止片２１ａは、断面湾曲状になっている。
【００３９】
第２の係止片２２ａは、環状部９の周方向一か所から突出した可撓壁からなる。その突出方向は、飲み口７に対して水平方向に接近する方へ向いている。
【００４０】
第１の係止片２１ｂは、図１（ａ）、図４、図５に示すように、管路部材１１の一か所から環状部９に対して水平方向に接近する方へ突出した板状の壁部分からなる。
【００４１】
第２の係止片２２ｂは、図１（ａ）、図４に示すように、環状部９の一か所で飲み口７に対して水平方向に遠ざかる方へ凹んだ壁部分からなる。
【００４２】
肩カバー６と飲み口７とは、図１、図６に示すように、前記係止部によって係止された第１の姿勢と、当該係止を解除された第２の姿勢とをとる。肩カバー６に対して飲み口７が回動することによって、前記第１の姿勢と前記第２の姿勢とをとるようになっている。
【００４３】
具体的には、前記係止部が、図６（ａ）中に実線で飲み口７を示すように、肩カバー６の下方から飲み口７を環状部９の内側へ挿し入れ、同図中に二点鎖線で飲み口７を示すように、飲み口７を前述のねじ軸線に対して傾けるように回動させる操作を行うと、第１の係止片２１ａが第２の係止片２２ａの上側に配置され、第１の係止片２１ｂが第２の係止片２２ｂの下方に配置された状態とする。この状態から飲み口７の傾きを無くす起回動操作を行うと、第１の係止片２１ｂが、第２の係止片２２ｂを下から上へ乗り越える。この間に、第２の係止片２２ａが、第１の係止片２１ａ付近によって押され、その結果、上側へ反って逃げる弾性変形態様の撓み変形を生じる。このため、第１の係止片２１ｂが第２の係止片２２ｂを容易に乗り越える。乗り越えると、第２の係止片２２ａが弾性回復して、第１の係止片２１ｂが第２の係止片２２ｂの上側に配置される（第１の姿勢）。このように第１の係止片２１ａ、２１ｂが第２の係止片２２ａ、２２ｂの上側に配置されることによって、当該第１の係止片２１ａ、２１ｂ及び当該第２の係止片２２ａ、２２ｂが係り合って飲み口７を肩カバー６に止める状態となる。このように飲み口７を肩カバー６に係止し、かつ蓋８を開けた状態で、飲み口７を第１の係止片２１ｂ側へ傾ける回動操作を行うと、やはり第２の係止片２２ａが第１の係止片２１ａ付近によって押されるので、第１の係止片２１ｂが第２の係止片２２ｂを上から下へ容易に乗り越える。次に第１の係止片２１ａを簡単に第２の係止片２２ａから下方へ外すと、飲み口７が肩カバー６から外れた状態になる（第２の姿勢）。これにより、前述の係止を完全に解除することができる。
【００４４】
このように、この飲料容器は、飲み口７の管路部材１１に一体的に成形された第１の係止片２１ａ、２１ｂ、及び、肩カバー６の環状部９に一体的に成形された第２の係止片２２ａ、２２ｂによって、飲み口７を肩カバー６に着脱可能に係止する前記係止部を構成しているので、パッキンを用いず、また部品点数を増やすことなく、肩カバー６に対する飲み口７の脱落を防止することができる。
【００４５】
また、この飲料容器は、第１の姿勢と第２の姿勢間で姿勢を遷移させる操作の際、少なくとも第２の係止片２２ａが弾性的な撓み変形を生じるので、簡単に肩カバー６と飲み口７とを係止したり、その係止を解除したりすることができる。
【００４６】
また、この飲料容器は、必要最小限の係止片２１ａ、２１ｂ、２２ａ、２２ｂにより、前記係止部を構成しているので、前述の係止等を特に簡単にすることができる。
【００４７】
また、この飲料容器は、前記係止部を構成する係止片２１ａ、２１ｂ、２２ａ、２２ｂが周方向にバランスよく配置されているため、肩カバー６に飲み口７を安定して係止することができる。
【００４８】
また、この飲料容器は、肩カバー６に対して下方から飲み口７が係止されるものとなるため、第２の係止片２２ａ、２２ｂが第１の係止片２１ａ、２１ｂを下から受けて鉛直方向に係り合う。このため、飲み口７が肩カバー６から上方へ外れることがない。したがって、この飲料容器は、使用時に飲み口７が不意に肩カバー６から外れることを防止することができる。
【００４９】
なお、前記起回動操作は、図２に示すように、管路部材１１の第２の係止片２２ｂの下方側に設けられた鍔部２３が環状部９の下端に当たるまで行うことができる。鍔部２３は、環状部９の下端に接する。ねじ込みの際、環状部９の推進力が鍔部２３に伝達され、これにより、飲み口７が環状部９と一体で鉛直方向に下降させられる。環状部９、管路部材１１のうち、第１の係止片２１ａ、２２ａ、第２の係止片２１ｂ、２２ｂと同高さになる部分には、管路部材１１を環状部９に対して傾き方向以外の方向に安定させる嵌め合い面が成形されている。
【００５０】
この飲料容器は、図２、図３に示すように、肩カバー６に対して蓋８を開閉可能に支持する開閉支持部２４を備える。開閉支持部２４は、ヒンジ軸と、ヒンジ軸を挿通する軸孔部とで構成されている。
【００５１】
閉回転操作を受ける蓋８は、自動的に係止され、閉じた状態に保たれる。この飲料容器は、蓋８を閉じた状態に保つ係止の解除操作を受け付ける操作部材２５を備える。
【００５２】
前記ロック部は、図１〜図４に示すように肩カバー６の周側部に設けられ、操作部材２５をロックするためのものである。前記ロック部は、操作部材２５の内側に移動可能なロック片２６を有し、ロック片２６が第１位置に配置されることにより前記解除操作の受け付けを可能にする一方で、ロック片２６が第２位置に配置されることにより当該解除操作の受け付けを不能にする。
【００５３】
具体的には、前記ロック部が、図２、図４、図７に示すように、操作部材２５を嵌める第１の溝２７と、ロック片２６を嵌める第２の溝２８と、第１の溝２７内および第２の溝２８内に連通する第１の開口２９と、第１の開口２９と対向する向きで第２の溝２８内に連通する第２の開口３０とを肩カバー６の環状部９に有する。ロック片２６は、第１の開口２９と第２の開口３０と第２の溝２８とによって保持されながら操作部材２５の背後に摺動する。第２の溝２８は、ロック片２６を周方向に案内する。
【００５４】
ロック片２６は、第２の溝２８に保持されているので、肩カバー６の内側に露出することを抑えられる。このため、この飲料容器は、肩カバー６を洗浄するに際してロック片２６が引っかけられることを第２の溝２８の溝底壁で避け、ロック片２６の破損を防止することができる。また、この飲料容器は、ロック片２６のうち、第１、第２の開口２９、３０を出入りする部分は、常に、第２の溝２８の溝底壁の内径よりも外側に位置しているので、特にロック片２６が引っ掛けられ難くすることができる。
【００５５】
ロック片２６は、操作部材２５の背後で前記解除操作の規制を行う邪魔部３１を有する。邪魔部３１は、図７、図８に示すように、第１の開口２９を通じて操作部材２５の下側の背後に出し入れされる。
【００５６】
操作部材２５は、図２に示すように、第１の溝２７に支持された軸３２周りに揺動可能になっている。操作部材２５と第１の溝２７の溝底面との間にリターンスプリング３３が介在している。
【００５７】
蓋８は、操作部材２５の上端部に引っ掛かるフック部３４を有する。図８に示すように、邪魔部３１が操作部材２５の下側の背後に位置しないとき（ロック解除位置）、操作部材２５の下側を押す操作により、操作部材２５からフック部３４が外され、これにより、蓋８の係止を解除する。図７に示すように、邪魔部３１が操作部材２５の下側の背後に位置するとき（ロック位置）、操作部材２５の押し込みを阻止し、操作部材２５の係止解除を規制する。
【００５８】
ロック片２６は、図４、図７、図８に示すように、クリックアーム部３５を有する。クリックアーム部３５は、第１の開口２９を通じて操作部材２５の上側の背後に出し入れされる。環状部９は、クリックアーム部３５に対して下向きに突出したクリック抵抗部３６を有する。ロック片２６が前記ロック位置にあるとき、クリックアーム部３５の上向き山形面がクリック抵抗部３６を乗り越えているので、邪魔部３１がロック位置に維持される。ロック位置から周方向にロック片２６を第２の開口３０側へスライドさせる操作により、当該上向き山形面がクリック抵抗部３６を乗り越え、邪魔部３１が前記ロック解除位置に至る。
【００５９】
ロック片２６は、邪魔部３１、クリックアーム部３５を先に開口２９内へ挿入しながら第２の溝２８に嵌め、次に第２の開口３０側へ溝２８に沿ってスライドさせるスイッチバック方式の組み込み操作によって、第１の開口２９、第２の開口３０、第２の溝２８に保持させられる。このように、この飲料容器は、邪魔部３１を操作部材２５で隠すロック片２６の取り付けを実現しながら、ロック片２６を環状部９と別部材とで肩カバー６に取り付けることがなく、部材数を抑えることができる。
【００６０】
第１の溝２７は、図２に示すように、前記仮想鉛直平面上に位置する。操作部材２５は、図２、図３に示すように、第２の係止片２２ａを上から覆うガード部３７を有する。ガード部３７は、第２の係止片２２ａが上から他物体と衝突することを防ぐ。また、飲み口７を係止する際の異常な押し込み、他物体の下からの衝突等により、第２の係止片２２ａが異常に上方へ押された際、ガード部３７は、第２の係止片２２ａに接触して異常な撓み変形を防ぐ。したがって、この飲料容器は、操作部材２５のガード部３７によって、第２の係止片２２ａの折損を防ぐことができる。
【００６１】
なお、操作部材２５とフック部３４は、ガード部３７を利用して蓋８を２段階に係止するようになっている。すなわち、操作部材２５がフック部３４から一旦外れた後、ガード部３７がフック部３４の内向きフックの方に引っ掛って蓋８を再係止し、これからさらに操作部材２５の下側を押しこむと、ガード部３７がフック部３４から外れ、蓋８を開き切ることが可能になる。
【００６２】
蓋８は、図２〜図４に示すように、飲料注出路１４を閉塞可能な蓋パッキン３８と、蓋パッキン３８の嵌着先になっている取付部３９と、蓋８の上面を形成する外殻部材４０とを有する。蓋パッキン３８は、蓋８の外殻部材４０の内側に設けられている。取付部３９は、外殻部材４０の内側面から延在する態様で設けられている。蓋パッキン３８は、取付部３９に被さる態様で取り付けられる。蓋パッキン３８は、蓋８の開閉によって飲み口７の口当て部１３の内側空間へ出し入れされ、飲料注出路１４を開閉する。外殻部材４０は、飲み口７を上方から覆う。
【００６３】
外殻部材４０の全体は、合成樹脂で一体に成形されている。取付部３９は、中空状に形成されている。取付部３９の内部は、外殻部材４０から下向きに開放されている。外殻部材４０は、上下に分離する金型で成形されている。取付部３９は、外殻部材４０と一体に成形されている。この際、下向きに開放された表面からなる取付部３９は、アンダーカットになる表面部分をもたず、離型が容易である。また、取付部３９の裏側に位置する外殻部材４０の上面部分では、中空軸状の肉盗みにより、成形収縮によるヒケを抑えることができる。
【００６４】
図１（ａ）に示すように、飲み口７は、内側シール面４４で規定された開口部のみで飲料収容室３内に連通している。熱い飲料を入れた後、長時間、蓋８を開けなかった場合、飲料収容室３内で飲料温度が低下し、飲料収容室３内が大気圧に対して負圧になる。蓋８は、負圧に抗して開くことになる。優れた下筒部４３の弾性反発性を利用して、負圧に抗して蓋８を強制的に開くことができる。なお、この強制開動には、図示省力のヒンジばねの弾性反発も貢献する。このように蓋パッキン３８と中空軸状の取付部３９の嵌着のみで蓋パッキン３８を取り付けると、空気孔を飲み口に作っても蓋パッキン３８に空気孔を閉塞する部分を作ることができない。空気孔の閉塞部分を作っても上から押さえる部分がなく、そのような壁を外殻部材４０に一体に成形することはヒケの問題から困難であり、そのような壁を含む取付部を別部材にしなければならず、好ましくない。
【００６５】
取付部３９は、図１（ａ）、図４に示すように、延在方向に向かって形成されたスリット４１を有する。スリット４１は、周方向に対向する壁面と、これら壁面を繋ぐ下向き壁面とからなる。
【００６６】
蓋パッキン３８の全体は、一体に成形されている。蓋パッキン３８の材料は、例えば、シリコーンゴムである。
【００６７】
蓋パッキン３８は、図１（ａ）、図４、図９に示すように、上筒部４２と、下筒部４３とを有する。上筒部４２は、取付部３９に水平方向から密着する内面をもった部分からなる。下筒部４３は、上筒部４２から下側に連なる有底筒状を成している。
【００６８】
下筒部４３は、蓋８を閉じる動作で飲み口７の内側シール面４４との密着面積を増やす撓み変形を生じながら飲み口７を閉塞する。内側シール面４４は、管路部材１１の内周に成形されている。蓋８を閉じた状態とは、内側シール面４４と蓋パッキン３８の密着により飲み口７が水密及び気密に閉塞された状態を保てる位置に蓋８が係止されている状態のことをいう。
【００６９】
取付部３９は、下筒部４３よりも高所（基端側）のみに存在する。したがって、この飲料容器は、取付部３９を下筒部４３よりも高所のみに限っているので、内側シール面４４に密着する下筒部４３の撓み変形を大きくし、内側シール面４４との密着力を高めることができる。
【００７０】
下筒部４３は、取付部３９の延長方向に配置されるとともに、下筒部４３の内側面から内径方向に向かって形成された突壁４５を有する。突壁４５は、下筒部４３の筒状空間に突き出るように分岐した環状壁からなる。突壁４５の付近では、下筒部４３の周壁が内側へ倒れようとする撓み変形に対して、周壁の抵抗性が高められる。したがって、この飲料容器は、下筒部４３の突壁４５の分岐付近で撓み変形に対する抵抗性を高め、もって内側シール面４４との密着力を高めることができる。なお、周方向に部分的に突き出る１又は複数の突壁に変更することも可能だが、全周に亘って抵抗性を高めることが好ましい。
【００７１】
突壁４５は、蓋８を閉じた状態で取付部３９の下端に上から押される。したがって、この飲料容器は、蓋８を閉じた状態で取付部３９の下端で突壁４５を上から押さえられるので、向上させた下筒部４３の弾性反発を効果的に密着力として内側シール面４４に作用させることができる。
【００７２】
突壁４５は、上筒部４２と下筒部４３の境に位置する。蓋パッキン３８の内側に取付部３９を嵌めると、上筒部４２が取付部３９に水平方向から密着する。このとき、突壁４５は取付部３９の下端に接触する。したがって、この飲料容器は、蓋８を閉じる際、内側シール面４４に対する下筒部４３の押し付けで上筒部４２が内側に撓むのを突壁４５と取付部３９の下端の接触で防ぐことができる。
【００７３】
下筒部４３の外径は、上筒部４２の外径よりも小さく成形されている。このため、下筒部４３の周壁を全周かつ全高に亘って取付部３９の下に位置する。したがって、この飲料容器は、蓋８を閉じることにより、下筒部４３の周壁を取付部３９で全周に亘って上から押し、筒空間の内側へ撓ませ易くなるので、逆の場合よりも弾性力を向上させ易い。
【００７４】
上筒部４２は、スリット４１に嵌る突条壁４６を有する。スリット４１と突条壁４６で上筒部４２に制限された範囲内で取付部３９との密着面積が増す。また、スリット４１と突条壁４６が周方向に係合するので、上筒部４２の捻じれ抵抗性が増し、回り止めも実現される。したがって、この飲料容器は、蓋パッキン３８の取付部３９に対する固定性を突条壁４６とスリット４１で向上させることができる。
【００７５】
突条壁４６は、突壁４５に連続していることが好ましい。突壁４５の上方への撓み変形を突条壁４６の抵抗で防ぐことができる。
【００７６】
上筒部４２は、回動規制部４７を有する。回動規制部４７は、蓋８の閉じた状態で前記第１の姿勢から前記第２の姿勢をとる際に飲み口７に当接して、肩カバー６に対する飲み口７の回動を規制する。
【００７７】
具体的には、回動規制部４７が、第１の係止片２１ａ及び前記第２の係止片２２ａを通る仮想鉛直平面上に位置する中実突壁からなる。回動規制部４７は、管路部材１１の内側の壁面と水平方向に対向する位置で管路部材１１へ接近する方へ突出している。
【００７８】
図１（ａ）に示すように、回動規制部４７と飲み口７とが接触しないようにするため、これらの間に隙間が設定されている。前記係止部によって飲み口７を肩カバー６に対して傾きなく係止した状態で蓋８を開閉するとき、回動規制部４７が飲み口７に接触しないため、蓋８の動作の邪魔にならない。
【００７９】
図１（ｂ）に示すように、飲み口７が係止された肩カバー６を容器本体１から外す際、容器本体１の周側上部に飲み口７が当接する場合がある。すると、偶然、飲み口７の回動により第１の姿勢から第２の姿勢への遷移、つまりは第１の係止片２１ａが第２の係止片２２ａの上方から外れて鉛直方向に係り合うことができず、肩カバー６と飲み口７との係止が解除され得るような姿勢変化が起こり得る。この回動規制部４７は、そのような飲み口７の回動が生じたとき、飲み口７の脱落前に口当て部１３の内側面に当接する。その結果、回動規制部４７の抵抗によって飲み口７の回動が抑えられ、第１の係止片２１ａが第２の係止片２２ａの上方から外れない位置に留められる。したがって、この飲料容器は、通常、回動規制部４７が蓋８を閉じる邪魔にならないようにしつつ、蓋パッキン３８の回動規制部４７により、ユーザの誤った取り外し操作で係止解除の原因となり得る飲み口７の回動が生じた場合でも、飲み口７が肩カバー６から脱落しないようにすることができる。なお、パッキンが容器本体１の内周から抜ければ、回動規制部４７の弾性反発によって飲み口７の姿勢が起こされるので、飲み口７の脱落防止が有効な状態に維持される。
【００８０】
また、この飲料容器は、図１（ｂ）に示すように、回動規制部４７を第１、第２の係止片２１ａ、２２ａ、２１ｂ、２２ｂを通る仮想鉛直平面上に限定して前述の不意の飲み口脱落を防止可能なので、周方向２か所以下に限って蓋パッキン３８に中実突壁を成形するだけで済む。
【００８１】
なお、蓋パッキン３８の材料節約をより優先するなら、図示例のように回動規制部４７を第１、第２の係止片２１ａ、２２ａに近い方の周方向一か所のみに成形すればよい。脱落防止性を特に重視するなら、回動規制部４７を蓋パッキン３８の全周に亘って成形すればよい。
【００８２】
また、回動規制部４７が飲み口７の脱落を阻止する際の当接先は、口当て部１３の内側面に限られている。すなわち、この飲料容器は、回動規制部４７が口当て部１３の内側面すなわち飲料注出路１４側に設けられることにより、蓋パッキン３８が大型化することを防止し、ひいては蓋８の大型化を避けることができる。なお、蓋パッキンの大型化が問題にならないのなら、例えば、回動規制部を飲み口の口当て部の先端縁に成形された鍔部に外側から引っ掛かるフック状に成形すればよい。
【００８３】
この発明の技術的範囲は、上述の実施形態に限定されず、特許請求の範囲の記載に基く技術的思想の範囲内での全ての変更を含むものである。
【００８４】
例えば、実施例では、第１の姿勢と第２の姿勢をとる際に、第２の係止片が撓み変形を生じるものとしたが、第１の係止片が撓み変形を生じるものであってもよいし、第１の係止片及び第２の係止片の両者が撓み変形を生じるものでもよい。
【００８５】
また、第１の係止片及び第２の係止片が飲み口を肩カバーに止めるに際しては、第２の係止片が第１の係止片の上側に配置されることによるものであってもよい。
【００８６】
また、第１の係止片及び第２の係止片が、肩カバーと飲み口との間に、周方向に均等な位置に複数配置されているものとしたが、均等でなくてもよく、また、複数でなくてもよい。
【００８７】
また、回動規制部が飲み口の口当て部の内側面に当接するものとしたが、外側面等その他の場所に当接するものであってもよい。
【００８８】
また、操作部材がガード部を有するものとしたが、ガード部を省略してもよい。
【００８９】
また、下筒部の外径が上筒部の外径よりも小さく成形されているものとしたが、小さくなくてもよい。
【００９０】
また、突壁が上筒部と下筒部の境に位置するものとしたが、境でなくともよい。
【００９１】
また、取付部が中空状に形成されているものとしたが、中空状でなくともよい。
【符号の説明】
【００９２】
１  容器本体
６  肩カバー
７  飲み口
８  蓋
９  環状部
１１  管路部材
１３  口当て部
１４  飲料注出路
２１ａ、２１ｂ  第１の係止片
２２ａ、２２ｂ  第２の係止片
２５  操作部材
２６  ロック片
２７  第１の溝
２８  第２の溝
２９  第１の開口
３０  第２の開口
３１  邪魔部
３７  ガード部
３８  蓋パッキン
３９  取付部
４０  外殻部材
４１  スリット
４２  上筒部
４３  下筒部
４４  内側シール面
４５  突壁
４６  突条壁
４７  回動規制部
【図１】
2015098352.tif 000003
【図２】
2015098352.tif 000004
【図３】
2015098352.tif 000005
【図４】
2015098352.tif 000006
【図５】
2015098352.tif 000007
【図６】
2015098352.tif 000008
【図７】
2015098352.tif 000009
【図８】
2015098352.tif 000010
【図９】
2015098352.tif 000011